(57)【要約】【課題】画像などを伴う情報を、特定の登録ユーザのみに携帯電話などで迅速且つ的確に配信でき、配信情報が機密情報などであっても漏洩を防止でき、十分にセキュリティを確保できるようにする。【解決手段】インターネット回線に接続されている情報配信Ｗｅｂサーバ１６を具備し、情報配信Ｗｅｂサーバは、クライアント端末１０から送信された配信情報の登録メールを受信し、受信した登録メールをメール本文と添付ファイルに展開して配信情報の携帯端末用Ｗｅｂページを自動作成・登録し、そのＷｅｂページのＵＲＬを情報配信連絡メールで特定の携帯端末２０の登録ユーザ宛に通知し、他方、情報配信連絡メールを受信した携帯端末から前記ＵＲＬにアクセスすることで登録ユーザのみが前記Ｗｅｂページを閲覧可能とした携帯端末用情報配信システムである。【選択図】図１
2008139905.tif 000002
【特許請求の範囲】
【請求項１】
インターネット回線に接続されている情報配信Ｗｅｂサーバを具備し、該情報配信Ｗｅｂサーバは、クライアント端末から送信された配信情報の登録メールを受信し、受信した登録メールをメール本文と添付ファイルに展開して配信情報の携帯端末用Ｗｅｂページを自動作成・登録し、登録されたＷｅｂページのＵＲＬを情報配信連絡メールで特定の携帯端末の登録ユーザ宛に通知し、他方、情報配信連絡メールを受信した携帯端末から前記ＵＲＬにアクセスすることで登録ユーザのみが前記Ｗｅｂページを閲覧可能としたことを特徴とする携帯端末用情報配信システム。
【請求項２】
イントラネット網上の情報配信支援サーバ、及びイントラネット網上でインターネット回線に接続されている情報配信Ｗｅｂサーバを具備し、配信情報の登録メールをイントラネット網のクライアント端末から情報配信支援サーバ宛に送信し、該情報配信支援サーバは、受信した登録メールによる配信情報の収集・蓄積を行うと共に取得したメールアーカイブファイルを情報配信Ｗｅｂサーバ宛に転送し、情報配信Ｗｅｂサーバは、受信したメールアーカイブファイルをメール本文と添付ファイルに展開して配信情報の携帯端末用Ｗｅｂページを自動作成・登録し、情報配信Ｗｅｂサーバにより登録された前記ＷｅｂページのＵＲＬを情報配信連絡メールで特定の複数の携帯端末の登録ユーザ宛に一括通知し、他方、情報配信連絡メールを受信した各携帯端末から前記ＵＲＬにアクセスすることで登録ユーザのみが前記Ｗｅｂページを閲覧可能としたことを特徴とする携帯端末用情報配信システム。
【請求項３】
イントラネット網上にメールサーバを備え、該メールサーバを介して各種メール・ファイルの送受を行う請求項２記載の携帯端末用情報配信システム。
【請求項４】
情報配信Ｗｅｂサーバで作成したＷｅｂページのＵＲＬは、情報配信毎に変更され、所定の登録ユーザの携帯端末に情報配信連絡メールで通知される請求項１乃至３のいずれかに記載の携帯端末用情報配信システム。
【請求項５】
情報配信Ｗｅｂサーバで作成したＷｅｂページは、所定の登録ユーザ全員によって閲覧された後もしくは予め設定した時間経過後に自動削除される請求項１乃至４のいずれかに記載の携帯端末用情報配信システム。
【請求項６】
配信情報がトラブル発生時の緊急トラブル情報、あるいはその対応情報であり、携帯端末がＷｅｂブラウザを搭載した携帯電話である請求項１乃至５のいずれかに記載の携帯端末用情報配信システム。
【発明の詳細な説明】
【技術分野】
【０００１】
本発明は、特定の登録ユーザのみに携帯電話で情報を配信できるシステムに関し、更に詳しく述べると、情報配信Ｗｅｂサーバが配信情報の携帯端末用Ｗｅｂページを自動作成・登録し、そのＷｅｂページのＵＲＬを情報配信連絡メールで特定の登録ユーザの携帯端末に通知し、情報配信連絡メールを受信した携帯端末から前記ＵＲＬにアクセスすることで登録ユーザのみが携帯端末でＷｅｂページを閲覧可能とした携帯端末用情報配信システムに関するものである。
【背景技術】
【０００２】
企業や研究機関、官公庁などの各種団体では、危機管理体制の確立整備の一環として、トラブル発生時の対応を迅速に行えるように、必要な情報を特定の複数人に迅速且つ的確に、しかも低コストで配信できるシステムの構築が求められている。緊急時に情報の提供を受けるべき複数人は、常に所定のＰＣの傍にいるわけではなく、外出していることも多く、単に所定のＰＣにメールで情報を送ったのでは、その情報を迅速に受け取ることができるとは限らない。そこで、各人が常時所持している携帯電話に対してメールで配信することが考えられる。
【０００３】
配信する情報が短いテキストファイルで済むのならば、単に登録ユーザの各携帯端末宛にメールで配信すればよい。しかし、長文のテキストファイルや図表や写真などの画像を含む情報を、ＰＣ（パーソナルコンピュータ）から複数の携帯端末（携帯電話など）に対して配信しようとする場合、送信先の機種依存などにより正確に情報を送信できない場合がある。例えば、機種による受信容量の違いや、機種、キャリア（通信事業者）による画像など添付ファイルの扱いの違いがあるからである。それらを意識して送信しなければならないため、複数人にメール配信する場合はシステムや作業が複雑になる。
【０００４】
ところで、最近の携帯電話では、各キャリア、機種共にＷｅｂブラウザを搭載しているものが一般的になっている。そのＷｅｂブラウザに着目すると、配信する情報をＷｅｂブラウザで閲覧可能な形式にすることで、ほぼ全ての携帯端末機種でその情報が閲覧可能となる。そのためには、配信すべき情報に基づき、外部公開用ＷｅｂサーバによりＷｅｂページを作成し、インターネット上に登録（アップロード）すればよい。そうすれば、任意の携帯端末から前記Ｗｅｂページにアクセスすることで、その情報を閲覧することが可能となる。このような技術として、例えば、携帯端末などから自動配信のリクエストを出し配信先のアドレスを登録することで、各地で発生した災害や事故などの緊急情報を閲覧できるシステムが提案されている（特許文献１参照）。
【０００５】
しかし、このような方式では、自動配信のリクエストを出して配信先を登録した特定の携帯端末に限られるものの、実質的には不特定多数の携帯端末からＷｅｂページにアクセスできるシステムであり、情報を配信する側から配信先を限定することは難しい。たとえＩＤやパスワードを設定してアクセスを制限できるようにしても、不正アクセスなどの問題もあり、十分なセキュリティの確保は困難である。
【０００６】
企業や研究機関、官公庁などの各種団体では、配信情報に、団体内部における機密情報やプライバシーに関わる情報などが含まれることもあり、それらの漏洩防止は極めて重要である。他方、何時発生するか分からない緊急時に、図表や写真などの画像を含む情報を迅速且つ的確に団体内外の特定の登録ユーザのみに配信したいという要望がある。そのような事情をふまえて、トラブル発生時などの対応を迅速に行えるように、必要な情報を特定の複数人に迅速且つ的確に、しかも低コストで配信できるシステムの構築が求められている。
【特許文献１】特開２００２−４１９４８号公報
【発明の開示】
【発明が解決しようとする課題】
【０００７】
本発明が解決しようとする課題は、画像などを伴う情報を、特定の登録ユーザのみに携帯電話などで迅速且つ的確に配信でき、配信情報が機密情報などであっても漏洩を防止でき、十分にセキュリティを確保できるようにすることである。
【課題を解決するための手段】
【０００８】
本発明は、インターネット回線に接続されている情報配信Ｗｅｂサーバを具備し、該情報配信Ｗｅｂサーバは、クライアント端末から送信された配信情報の登録メールを受信し、受信した登録メールをメール本文と添付ファイルに展開して配信情報の携帯端末用Ｗｅｂページを自動作成・登録し、登録されたＷｅｂページのＵＲＬを情報配信連絡メールで特定の携帯端末の登録ユーザ宛に通知し、他方、情報配信連絡メールを受信した携帯端末から前記ＵＲＬにアクセスすることで登録ユーザのみが前記Ｗｅｂページを閲覧可能としたことを特徴とする携帯端末用情報配信システムである。
【０００９】
また本発明は、イントラネット網上の情報配信支援サーバ、及びイントラネット網上でインターネット回線に接続されている情報配信Ｗｅｂサーバを具備し、イントラネット網のクライアント端末から配信情報の登録メールを情報配信支援サーバ宛に送信し、情報配信支援サーバは、受信した登録メールによる配信情報の収集・蓄積を行うと共に取得したメールアーカイブファイルを情報配信Ｗｅｂサーバ宛に転送し、情報配信Ｗｅｂサーバは、受信したメールアーカイブファイルをメール本文と添付ファイルに展開して配信情報の携帯端末用Ｗｅｂページを自動作成・登録し、情報配信Ｗｅｂサーバにより登録された前記ＷｅｂページのＵＲＬを情報配信連絡メールで特定の複数の携帯端末の登録ユーザ宛に一括通知し、他方、情報配信連絡メールを受信した各携帯端末から前記ＵＲＬにアクセスすることで登録ユーザのみが前記Ｗｅｂページを閲覧可能としたことを特徴とする携帯端末用情報配信システムである。
【００１０】
ここで、特定の登録ユーザとは、情報を配信する側によって指定された単独相手もしくはグループ（複数相手）であり、配信する情報の種類や性質、内容などによって変更されていてよい。それらが受信する情報配信連絡メールには、メール内容と共に、携帯端末用ＷｅｂページのＵＲＬが記載されている。本発明では、情報が掲載されているＷｅｂページのＵＲＬが情報配信連絡メールで特定の登録ユーザの携帯端末に送信され、該情報配信連絡メールで指定されたＵＲＬにアクセスすることで携帯端末でＷｅｂページを閲覧し情報を取得できるようにしており、この点に本発明の特徴がある。
【００１１】
このような情報配信システムにおいて、イントラネット網上に備えられているメールサーバを利用すると、該メールサーバを介してクライアント端末や各サーバ間で、通常のメール送受と同様に、メールやファイルの送受を行うことができる。
【００１２】
情報配信Ｗｅｂサーバで作成したＷｅｂページのＵＲＬは、情報配信毎に変更され、所定の登録ユーザの携帯端末に情報配信連絡メールで通知されるのが好ましい。また、情報配信Ｗｅｂサーバで作成したＷｅｂページは、所定の登録ユーザ全員によって閲覧された後、もしくは予め設定した時間経過後に自動削除されるようにするのが好ましい。
【００１３】
典型的な例として、配信情報は、例えば企業や研究機関などにおけるトラブル発生時の緊急トラブル情報、あるいはその対応情報などであり、携帯端末としてはＷｅｂブラウザを搭載した携帯電話の使用がある。例えば企業などでは、予め設定した特定の社員のみに必要な情報を配信できる。携帯端末は、通常、携帯電話であるが、通信機能とＷｅｂブラウザを備えたＰＤＡなどでもよい。
【発明の効果】
【００１４】
本発明の携帯端末用情報配信システムは、情報をインターネット上のＷｅｂページの形で配信するため、携帯端末がＷｅｂブラウザを搭載していれば、異機種であっても、長文メールや添付ファイルを含んでいても閲覧可能である。情報の発信は、情報発信連絡メールの形で登録ユーザの携帯端末に直接送られてくるので、何時でも（トラブル発生など予期せぬ時点でも）情報が発信されたことを知ることができる。通知されたメールに配信情報が登録されているＷｅｂページのＵＲＬが記述されているので、そのＵＲＬにアクセスするだけで、特定の登録ユーザのみが必要な情報を閲覧できる。従って、簡略化されたシステムでありながら、複数の登録ユーザに一括して情報を配信できる。これによって、危機管理におけるよりフレキシブルな情報活用や共有化推進を図ることができる。
【００１５】
本発明において、情報配信Ｗｅｂサーバで作成したＷｅｂページのＵＲＬを、情報配信の都度変更して、各登録ユーザ宛に情報配信連絡メールで通知したり、また情報配信Ｗｅｂサーバで作成したＷｅｂページを、登録ユーザ全員によって閲覧された後もしくは設定時間経過後に自動削除するように構成すると、配信情報の漏洩を確実に防止でき、セキュリティがより一層向上する。
【発明を実施するための最良の形態】
【００１６】
本発明に係る携帯端末用情報配信システムは、インターネット回線に接続されている情報配信Ｗｅｂサーバを具備している。該情報配信Ｗｅｂサーバは、クライアント（内部ユーザ）端末から送信された配信情報の登録メールを受信し、受信した登録メールをメール本文と添付ファイルに展開して配信情報の携帯端末用Ｗｅｂページを自動作成・登録する。この携帯端末用Ｗｅｂページは、携帯端末で閲覧しやすいような形式に加工されたものである。登録されたＷｅｂページのＵＲＬが情報配信連絡メールによって特定の登録ユーザの携帯端末宛に通知される。他方、情報配信連絡メールを受信した携帯端末から前記ＵＲＬにアクセスすることによって、登録ユーザのみが前記Ｗｅｂページを閲覧できる。前記ＵＲＬは、情報配信毎に変更して各登録ユーザ宛に情報配信連絡メールで通知され、また情報配信Ｗｅｂサーバで作成したＷｅｂページは、登録ユーザ全員によって閲覧された後、もしくは設定時間経過後のいずれか短い時間で自動削除される。
【実施例】
【００１７】
図１は本発明に係る携帯端末用情報配信システムの一実施例を示すシステム構成図であり、図２はその処理の概略フロー図である。
【００１８】
この情報配信システムは、図１に示すように、イントラネット網上のクライアント端末１０、情報配信支援サーバ１２、及びイントラネット網上でインターネット回線に接続されているメールサーバ１４、情報配信Ｗｅｂサーバ１６を具備している。勿論、イントラネット網には他にも多くの機器が接続され、他のクライアント端末などが接続されていてもよいが、図１では、図面を簡単にするため、本情報配信システムにおける必要最少限の機器のみ示している。また、複数のキャリア（通信業者）１８と、それらを介してインターネット回線に接続可能な複数の携帯端末（通常は携帯電話）２０がある。
【００１９】
イントラネット網のクライアント端末１０から配信情報の登録メールを情報配信支援サーバ１２宛メールアドレスに送信する。登録メールは、通常、メール本文に図表や写真などの画像データが添付されたメールアーカイブの形であり（勿論、メール本文（テキストデータ）のみでも構わない）、例えばトラブル発生とその状況、対応策などである。登録メールは、一旦、メールサーバ１４に届く。
【００２０】
情報配信支援サーバ１２は、定期的にメールサーバ１４へアクセスし、配信情報の登録メールを受信する。そして、取得したメールアーカイブをメール本文と添付ファイルに展開する。次に、メール差出人やメールタイトル、メール内容を確認する。もし、登録されていない差出人のメールや空メールなどであれば、不正メールとして処理する。このようにして、受信した登録メールによる配信情報の収集・蓄積を行う。同時に、取得したメールアーカイブファイルを情報配信Ｗｅｂサーバ１６宛にＦＴＰで転送する。このメールアーカイブファイルは、一旦、メールサーバ１４に届く。
【００２１】
情報配信Ｗｅｂサーバ１６は、定期的にメールサーバ１４のＦＴＰ受信ディレクトリを監視し、情報配信支援サーバ１２から転送されてきたメールアーカイブが存在した場合、次のような処理をする。メール差出人やメールタイトル、メール内容を確認する。空メールなどの判断、グループオプションなどを行う。そして、メール本文と添付ファイルにリンクを張ったＷｅｂページを自動的に作成する。このＷｅｂページは、各キャリア１８のＷｅｂ形式に合ったものとし、携帯端末２０で閲覧可能な形に加工した携帯端末用Ｗｅｂページとする。そのような携帯端末用Ｗｅｂページを情報配信Ｗｅｂサーバ１６上のサイトに登録（アップロード）する。携帯端末用Ｗｅｂページを登録した段階で、該ＷｅｂページのＵＲＬを登録完了メールで通知する。このＷｅｂページのＵＲＬは、情報配信の都度、ドメイン以下が異なるようにする。メールサーバ１４は、この登録完了メールを受け取り、指定されている特定の複数の登録ユーザの携帯端末２０宛に情報配信連絡メールで一括通知する。
【００２２】
各登録ユーザは、自己の所持している携帯端末２０によって情報配信連絡メールを受信し、メール内容を読み取る。そして各携帯端末２０から、メールに記述されている前記携帯端末用ＷｅｂページのＵＲＬにアクセスすることで、前記Ｗｅｂページを閲覧する。このようにして、特定の登録ユーザのみに情報が配信されることになる。なお、登録ユーザ全員が情報を閲覧するか、あるいは全員が閲覧しなくても一定時間経過後（例えば９０分後）に、情報配信Ｗｅｂサーバ１６は配信情報を自動的に削除し、インターネットからの閲覧を不能とする。なお、情報配信Ｗｅｂサーバ１６は、アクセス・パスワードによるセキュリティ管理を行えるようにするのが好ましい。
【００２３】
以上が本情報配信システムの基本的な構成及び動作フローである。これは、既存のイントラネット網に、情報配信Ｗｅｂサーバ１６を追加し、各機器に必要なソフトウエアを組み込むことで、比較的低コストで対応できる。また、このような基本機能に、更に次のような様々な補助的機能を付加することができる。
【００２４】
例えば、クライアント端末では、登録ユーザの一括管理、一括配信条件の設定、情報配信Ｗｅｂサーバのアクセスログ管理などが行えるようにする。具体的には、配信情報に応じて情報配信相手を、単独あるいはグループ（複数相手）として予め登録しておき、選択により配信が行えるようにする。
【００２５】
情報配信支援サーバは、受信した登録メールをメール本文と添付ファイルに展開し、それらを基にＨＴＭＬファイルを作成・登録すると、イントラネット網のクライアント端末から、情報配信支援サーバに登録・蓄積されているＨＴＭＬを何時でも閲覧することができるようになる。この場合、ＰＣで閲覧するため、携帯端末に適した形式に加工されていない元のデータそのままなどでよい。情報配信支援サーバは、処理内容をログとして記録する。
【００２６】
情報配信Ｗｅｂサーバは、処理内容をログとして記録する。また登録ユーザが、情報配信連絡メールに記述されているＵＲＬの携帯端末用Ｗｅｂページを閲覧したか否かを監視し、その結果をクライアント端末宛に未閲覧者リストとして送信するようにする。
【００２７】
なお、クライアント端末から発信メールを情報配信Ｗｅｂサーバ宛に送信するような構成にし、情報配信支援サーバやメールサーバの機能を情報配信Ｗｅｂサーバが兼ねるようにすることも可能である。
【図面の簡単な説明】
【００２８】
【図１】本発明の一実施例を示すシステム構成図。
【図２】その処理の概略フロー図。
【符号の説明】
【００２９】
１０  クライアント端末
１２  情報配信支援サーバ
１４  メールサーバ
１６  情報配信Ｗｅｂサーバ
１８  キャリア
２０  携帯端末
【図１】
2008139905.tif 000003
【図２】
2008139905.tif 000004